(57)【要約】【課題】放熱器を備えた映像ディスプレイ装置を提供する。【解決手段】光を発生する光源３０と、光を受け、その光を用いて映像を表示するディスプレイパネル２０と、光源３０とディスプレイパネル２０との間に配置され、内部の熱が放出されるように少なくとも一つのエアホールを有する放熱器５０とを備える。【選択図】図３
2007193304.tif 000002
【特許請求の範囲】
【請求項１】
光を発生する光源と、
前記光を受け、受光した光を用いて映像を表示するディスプレイパネルと、
前記光源とディスプレイパネルとの間に配置され、内部の熱が放出される少なくとも一つのエアホールを有する放熱器と、
を備えることを特徴とする映像ディスプレイ装置。
【請求項２】
前記放熱器は、
前記光源とディスプレイパネルを所定間隔離隔させ、空気の出入が可能な前記少なくとも一つのエアホールが形成されるスペーサと、
前記スペーサの主面をそれぞれ支持する複数の支持台と、
を備えることを特徴とする請求項１に記載の映像ディスプレイ装置。
【請求項３】
前記スペーサの内部は、中空であることを特徴とする請求項２に記載の映像ディスプレイ装置。
【請求項４】
前記スペーサは、ガラスまたはプラスチックからなることを特徴とする請求項２に記載の映像ディスプレイ装置。
【請求項５】
前記支持台は、それぞれ１対の平行な縦バーと、これらの縦バー間に固着され、スペーサの対応主面の縁に沿って所定間隔を保って並んで配列された複数の平行な横バーとで構成され、スペーサの対応主面の縁をそれぞれ支持することを特徴とする請求項２に記載の映像ディスプレイ装置。
【請求項６】
前記支持台は、前記スペーサの横軸に対して所定角度で傾くように形成されることを特徴とする請求項２に記載の映像ディスプレイ装置。
【請求項７】
前記支持台は、透明な物質からなることを特徴とする請求項２に記載の映像ディスプレイ装置。
【請求項８】
前記エアホールは、前記放熱器の横方向両側面と縦方向両側面のうち少なくともいずれかの両側面に互いに向かい合って形成され、互いに同一線上に配置されることを特徴とする請求項１に記載の映像ディスプレイ装置。
【請求項９】
前記互いに向かい合って形成されるエアホールのいずれか一側のエアホールは、空気流入口であり、他側のエアホールは、空気流出口であることを特徴とする請求項８に記載の映像ディスプレイ装置。
【請求項１０】
光を発生する光源と、
前記光を受け、受光した光を用いて映像を表示するディスプレイパネルと、
前記光源とディスプレイパネルとの間に配置され、前記ディスプレイパネルに３次元映像が実現されるように、入射する光を回折させる３次元映像フィルタと、
前記３次元映像フィルタの主面部のうち少なくともいずれか一面に配置され、内部の熱が放出されるように両側面に少なくとも一つのエアホールを有する放熱器と、
を備えることを特徴とする映像ディスプレイ装置。
【請求項１１】
前記両側面に形成されるエアホールは、互いに向かい合うように同一線上に配置されることを特徴とする請求項１０に記載の映像ディスプレイ装置。
【請求項１２】
前記放熱器の一側面に形成されるエアホールは、空気流入口であり、他側面に形成されるエアホールは、空気流出口であることを特徴とする請求項１０に記載の映像ディスプレイ装置。
【請求項１３】
光を発生する光源と、
前記光を受け、受光した光を用いて映像を表示るディスプレイパネルと、
前記光源とディスプレイパネルとの間に配置され、前記ディスプレイパネルに３次元映像が実現されるように、入射する光を回折させる３次元映像フィルタと、
前記３次元映像フィルタの主面部のうち少なくともいずれか一面に配置され、内部の熱が放出されるように横方向両側面と縦方向両側面に少なくとも一つのエアホールを有する放熱器と、
を備えることを特徴とする映像ディスプレイ装置。
【請求項１４】
前記放熱器の横方向両側面または縦方向両側面に形成されるエアホールは、互いに向かい合うように同一線上に配置されることを特徴とする請求項１３に記載の映像ディスプレイ装置。
【請求項１５】
前記放熱器の横方向両側面または縦方向両側面のいずれか一面に形成されるエアホールは、空気流入口であり、他面に形成されるエアホールは、空気流出口であることを特徴とする請求項１３に記載の映像ディスプレイ装置。
【請求項１６】
光を発生する光源と、
前記光を受け、受光した光を用いて映像を表示するディスプレイパネルと、
前記光源とディスプレイパネルとの間に配置されるレンチキュラー板と、
前記レンチキュラー板上に形成され、前記レンチキュラー板の横軸に対して所定角度の勾配を有するように配列される複数のレンズと、
前記光源とレンチキュラー板との間、前記レンチキュラー板とディスプレイパネルとの間のうち少なくともいずれかの領域に配置されてそれらを所定間隔離隔させ、空気の出入が可能な少なくとも一つのエアホールが形成されるスペーサと、
前記スペーサの主面を支持し、前記レンズの勾配と同じ勾配を有するように配列される複数の支持台と、
を備えることを特徴とする映像ディスプレイ装置。
【請求項１７】
前記支持台は、それぞれ１対の平行な縦バーと、これらの縦バー間に固着され、スペーサの対応主面の縁に沿って所定間隔を保って並んで配列された複数の平行な横バーとで構成され、スペーサの対応主面の縁をそれぞれ支持することを特徴とする請求項１６に記載の映像ディスプレイ装置。
【請求項１８】
前記支持台は、透明な物質からなることを特徴とする請求項１６に記載の映像ディスプレイ装置。
【発明の詳細な説明】
【技術分野】
【０００１】
本発明は、映像ディスプレイ装置に係り、より詳細には、内部の熱を放出する放熱器を備えた映像ディスプレイ装置に関する。
【背景技術】
【０００２】
一般的に、３次元映像は、観察者の両眼による立体的視覚の原理に基づくものである。すなわち、３次元映像は、両眼が約６５ｍｍ離れていることから起こる両眼視差に基づくものである。
【０００３】
観察者がある物体を見るとき、観察者の左眼及び右眼は、その物体の異なる２次元映像をそれぞれ見ることになる。これらの異なる２次元の映像は、それぞれの網膜を経由して脳に伝えられる。脳は、これらの２次元映像を融合して、深さ感（dpth sensation）と実際感（stereoscopic sensation）を持つ３次元映像として認識する。したがって、映像を、左眼及び左眼に相応する２つの映像に分離することによって、観察者は、映像を３次元映像として見ことが可能になる。
【０００４】
３次元映像を実現する方法としては、眼鏡を使用しない３次元映像表示方式がある。眼鏡不要の３次元映像表示方式では、映像の前に配列された縦格子模様の開口を含み、映像を、左右の眼にそれぞれ対応する２映像に分離するのに適合した視差システムが主として用いられている。
【０００５】
また、半円筒型レンズを配列したレンチキュラー板(lenticular plate）を利用するレンチキュラー(lenticular)システム、及びハエの目模様のレンズを配列したレンズ板を利用する全体写真撮影（integral photography）システムなどが用いられている。
【０００６】
図１は、一般の３次元映像ディスプレイ装置の構成を示す概略図であり、図２は、スペーサが設けられた３次元映像ディスプレイ装置を示す側面図である。
３次元映像ディスプレイ装置は、ディスプレイパネル１０、光源３０、及び可視光線の透過度の差を発生させる複数の回折格子を有した３次元映像フィルタ２０を備える。
【０００７】
上述した構成を有する図１の３次元映像ディスプレイ装置では、ディスプレイパネル１０に実現された３次元映像の鑑賞を可能にするために、光源３０から発生した光が、３次元映像フィルタ２０の回折格子を通過する。
【０００８】
この回折格子によって互いに平行な複数本のスリットが形成される。平行なスリットを通過した光は、右眼映像と左眼映像とに分離される。
これにより、観察者は、分離した映像から３次元映像を視認することができる。
【０００９】
しかしながら、上述した構成を有する３次元映像ディスプレイ装置は、３次元映像フィルタ２０が、光源３０から発生した光の一部を遮断及び吸収するために、多量の光が観察者に到達せず、輝度と明るさが低下するという問題点があった。
【００１０】
このような輝度及び明るさの低下問題を解決するために、従来の３次元映像ディスプレイ装置では、光量を増加させるために、ＣＣＦＬ（Cold Cathode Fluorescence Lighting）方式の光源の代わりにＨＣＦＬ（Hot Cathode Fluorescence Lighting）方式の光源を使用している。
【００１１】
しかし、このＨＣＦＬ方式を用いる３次元映像ディスプレイ装置は、光源の強さが増加することから、輝度及び明るさが増加するという長所がある反面、電力消耗及び発熱量が増加してしまうという短所があった。
特に、３次元映像ディスプレイ装置の内部で発生した熱が外部へ適切に放出されないと、３次元映像ディスプレイ装置は、熱によって誤動作を起こすという問題につながる。
【００１２】
一般に、上述した３次元映像ディスプレイ装置のディスプレイパネル１０と３次元映像フィルタ２０は、平面状態に維持されている。ディスプレイパネル１０または３次元映像フィルタ２０が曲がると３次元映像を実現することが不可能になる。
【００１３】
また、図１に示されるように、３次元映像ディスプレイ装置は、視角（viewing）距離がｄのとき、ディスプレイパネル１０と３次元映像フィルタ２０とが適正距離ｇだけ離れた状態で３次元映像が実現される。
【００１４】
したがって、３次元映像ディスプレイ装置は、図２に示すように、ディスプレイパネル１０と３次元映像フィルタ２０を支持して水平状態を保ち、これらを適性間隔に保持するスペーサ４０が必要となる。
【発明の開示】
【発明が解決しようとする課題】
【００１５】
しかしながら、上記のように３次元映像ディスプレイ装置にスペーサを使用する場合、スペーサによって熱の流れが遮断されるため、３次元映像ディスプレイ装置を長期間稼動すると、ディスプレイの内部熱によりシステムエラーが発生するという問題点があった。
【００１６】
本発明は上記の問題を解決するためのもので、その目的は、内部の熱を容易に放出させ、誤動作を防止できる放熱器を備えた映像ディスプレイ装置を提供することにある。
【課題を解決するための手段】
【００１７】
上記目的を達成する本発明に係る映像ディスプレイ装置の一つは、光を発生する光源と、前記光を受け、受光した光を用いて映像を表示するディスプレイパネルと、光源とディスプレイパネルとの間に配置され、内部の熱が放出される少なくとも一つのエアホールを有する放熱器とを備える構成とした。
【００１８】
ここで、放熱器は、光源とディスプレイパネルを所定間隔離して、空気の出入が可能な少なくとも一つのエアホールが形成されるスペーサと、スペーサの主面をそれぞれ支持する支持部材とを備える構成とする。
【００１９】
そして、支持部材は、それぞれ１対の平行な縦バーと、これらの縦バー間に固着され、スペーサの対応主面の縦縁に沿って所定間隔を保って並んで配列された複数の平行な横バーとで構成されている。これにより、支持部材は、スペーサの対応主面の縁をそれぞれ支持することができる。
また、支持台は、スペーサの横軸に対して所定角度で傾くように形成され、透明な物質からなる。
そして、エアホールは、放熱器の横方向両側面と縦方向両側面のうち少なくともいずれかの一両側面に互いに向かい合って形成され、互いに同一線上に配置される。
【００２０】
上記目的を達成する本発明に係る映像ディスプレイ装置のもう一つは、光を発生する光源と、前記光を受け、その受光した光を用いて映像を表示するディスプレイパネルと、光源とディスプレイパネルとの間に配置され、ディスプレイパネルに３次元映像が実現されるように、入射する光を回折させる３次元映像フィルタと、３次元映像フィルタの主面部の少なくともいずれかの一面に配置され、内部の熱が放出されるように両側面に少なくとも一つのエアホールを有する放熱器とを備える構成とした。
【００２１】
上記目的を達成する本発明に係る映像ディスプレイ装置のもう一つは、光を発生する光源と、前記光を受け、その受光した光を用いて映像を表示するディスプレイパネルと、光源とディスプレイパネルとの間に配置され、ディスプレイパネルに３次元映像が実現されるように、入射する光を回折させる３次元映像フィルタと、３次元映像フィルタの主面部のうち少なくともいずれか一面に配置され、内部の熱が放出されるように横方向両側面と縦方向両側面に少なくとも一つのエアホールを有する放熱器とを備える構成とした。
【００２２】
上記目的を達成する本発明に係る映像ディスプレイ装置のもう一つは、光を発生する光源と、前記光を受け、その受光した光を用いて映像を表示するディスプレイパネルと、光源とディスプレイパネルとの間に配置されるレンチキュラー板と、レンチキュラー板上に形成され、レンチキュラー板の横軸に対して所定角度の勾配を有するように配列される複数のレンズと、光源とレンチキュラー板との間、レンチキュラー板とディスプレイパネルとの間のうち少なくともいずれかの領域に配置されてそれらを所定間隔離隔させ、空気の出入が可能な少なくとも一つのエアホールが形成されるスペーサと、スペーサの主面を支持し、レンズの勾配と同じ勾配を有するように配列される支持台とを備える構成とした。
【発明の効果】
【００２３】
本発明による映像ディスプレイ装置によれば、エアホールを有する放熱器によって内部の熱を容易に放出させることができるため、内部熱による映像ディスプレイ装置の誤動作を防止することができる。
【００２４】
また、本発明の映像ディスプレイ装置は、内部熱の放出が容易であるため、光の強さを増加させることができ、これにより輝度の増加した映像を実現することができる。
また、本発明を３次元映像ディスプレイ装置に適用する場合、輝度及び画質に優れた３次元映像が実現できる。
なお、放熱器の内部が中空であるため、映像ディスプレイ装置の全体重さが減少するという効果も得られる。
【発明を実施するための最良の形態】
【００２５】
以下、本発明に係る映像ディスプレイ装置の好適な実施例を、添付の図面を参照しつつ詳細に説明する。
本発明の概念は、エアホールがあけられた放出器を用いて映像ディスプレイ装置の内部熱を容易に放出させることである。
【００２６】
図３は、本発明による映像ディスプレイ装置を示す分解斜視図である。図３に示すように、本発明に係る映像ディスプレイ装置は、概略、光源３０、ディスプレイパネル１０及び放熱器５０で構成される。
【００２７】
ディスプレイパネル１０は、例えば、光源から光を受けて映像をディスプレイする液晶ディスプレイ（ＬＣＤ）パネルである。
放熱器５０は、光源３０とディスプレイパネル１０との間に配置される。放熱器５０は、光源３０とディスプレイパネル１０とを所定間隔離して保持する。放熱器５０は、内部の熱が放出されるように少なくとも一つのエアホール（airhole）を有する。
【００２８】
図３に示すように、本発明の映像ディスプレイ装置が、３次元映像ディスプレイ装置である場合には、さらに３次元映像フィルタ２０を含んでも良い。
３次元映像フィルタ２０は、光源３０とディスプレイパネル１０との間に配置され、ディスプレイパネル１０上に３次元映像が実現されるように、入射する光を回折させる役割を担う。
【００２９】
３次元映像フィルタ２０が備えられた３次元映像ディスプレイ装置では、例えば、放熱器５０が３次元映像フィルタ２０の主面部、すなわち、上面部及び下面部のうち少なくともいずれか一面に配置される。ここで、３次元映像フィルタ２０の上面部及び下面部は、映像ディスプレイ装置の直立状態での前面部及び後面部に対応する。
【００３０】
図３のように、放熱器５０は、例えば、ディスプレイパネル１０と３次元映像フィルタ２０との間に設けられる第１放熱器５０ａと、光源３０と３次元映像フィルタ２０との間に設けられる第２放熱器５０ｂとで構成される。他の例として、第１放熱器５０ａ又は第２放熱器５０ｂのいずれか一つのみを含む構成であっても良い。
【００３１】
図４Ａは、本発明に係る放熱器の第１実施例を示す斜視図で、図４Ｂは、本発明に係る放熱器の第２実施例を示す斜視図である。
図４Ａ及び図４Ｂに示すように、例えば、放熱器５０は、概略、スペーサ５１と支持部材（支持台）５５とで構成される。
【００３２】
スペーサ５１は、光源３０とディスプレイパネル１０を所定間隔離して保持する。また、スペーサ５１は、空気の出入が可能な少なくとも一つのエアホールを有している。
エアホールは、図４Ａに示されるエアホール５７のように、スペーサ５１の向い合った側面の両方にそれぞれ一つずつ形成されても良く、また、図４Ｂに示されるエアホール５８のように、スペーサ５１の向い合った側面の両方にそれぞれ複数個形成されても良い。
【００３３】
また、エアホールは、図４Ａのようにスペーサ５１の横方向両側面及び縦方向両側面の両方に形成されても良く、図４Ｂのようにいずれか一方の両側面にのみ形成されても良い。
なお、エアホール５７，５８は、スペーサ５１の横方向両側面及び縦方向両側面のうち少なくともいずれかの一方の両側面に向かい合うように形成され、互いに同一線上に位置することが好ましい。
【００３４】
互いに向かい合って形成されているエアホール５７又は５８の、いずれか一つは空気流入口となり、残りの一つは空気流出口となる。
また、スペーサ５１の内部は、熱放出を容易にすべく中空とする。
なお、スペーサ５１は、例えば、ガラスまたはプラスチックなどの材質からなる。
【００３５】
スペーサ５１の厚さｄは、例えば、３次元映像フィルタ２０の回折レンズの間隔、ディスプレイパネル１０のピクセル間隔、ディスプレイパネル１０と観察者との距離などを考慮して定められる。
【００３６】
一方、支持台５５は、スペーサ５１の主面、すなわち、上部面と下部面を支持する部材として機能する。ここで、スペーサ５１の上部面及び下部面は、映像ディスプレイ装置の直立状態での前面及び後面に対応する。以下、スペーサ５１の主面は、図面を基準に上部面と下部面と称する。
【００３７】
各支持台５５は、例えば、１対の平行な縦バーと、これらの縦バー間に固着された複数の平行な横バーとで構成される。このような構造によれば、各支持台５５は、スペーサ５１の上部面と下部面の縁をそれぞれ支持し、各支持台５５の横バーは、スペーサ５１の上部面と下部面の縦方向の縁に沿って所定間隔を保って並んで配列される。
【００３８】
支持台５５は、３次元映像の輝度に影響を与えないように透明な物質からなることが好ましい。
また、各支持台５５の横バーは、例えば、スペーサ５１の縦方向に沿って延在するスペーサ５１の横軸に対して予め定められた所定角度を有するように形成される。
【００３９】
各支持台５５の傾きＡは、３次元映像フィルタ２０のレンズの傾きと同一にすることが好ましい。
これにより、３次元映像フィルタ２０を透過する光の回折に影響を与えず、優れた３次元映像を実現することができる。
【００４０】
本発明の３次元映像フィルタ２０は、図３に示すように、レンチキュラー板２０ａと、レンチキュラー板２０ａ上に形成される複数のレンズ２０ｂとで構成される。
レンズ２０ｂは、半円筒型タイプのもので、レンチキュラー板２０ａの横軸に対して所定角度の傾きを有するように配列される。
【００４１】
したがって、本発明の放熱器５０において、支持台５５は、スペーサ５１の上部面と下部面を支持し、レンズ２０ｂの傾きと同じ傾きを有するように配列されることが好ましい。
また、本発明の放熱器５０は、支持台５５とスペーサ５１を一体型にしても良く、それぞれ分離可能な分離型にしても良い。
【００４２】
図５は、本発明による３次元映像ディスプレイ装置の熱放出経路を示す斜視図である。
図５に示すように、本発明の映像ディスプレイ装置は、一側に取付けられた冷却ファンのような冷却器の働きにより放熱器５０のエアホールから空気が注入される。
【００４３】
放熱器５０の一側面に形成されたエアホールから注入された空気は、放熱器５０の内部で流路を形成し、内部熱を放熱器５０の他側面に形成されたエアホールから外部へ放出させる。
【００４４】
以上では具体的な実施例に挙げて本発明を説明してきたが、本発明は上記の具体例に限定されず、本発明の技術思想を逸脱しない範囲で様々な変更及び修正が可能であることは、当該技術分野における通常の知識を持つ者にとっては明らかである。したがって、本発明の技術的範囲は、実施例に記載された内容に限定されるものではなく、特許請求の範囲及びそれと同等の範囲によって決められるべきである。
【図面の簡単な説明】
【００４５】
【図１】一般の３次元映像ディスプレイ装置を示す図である。
【図２】スペーサを有する一般の３次元映像ディスプレイ装置を示す図である。
【図３】本発明による３次元映像ディスプレイ装置を示す斜視図である。
【図４Ａ】図３の放熱器の第１実施例を示す斜視図である。
【図４Ｂ】図３の放熱器の第２実施例を示す斜視図である。
【図５】本発明による３次元映像ディスプレイ装置の熱放出経路を示す図である。
【符号の説明】
【００４６】
１０    ディスプレイパネル
２０    ３次元映像フィルタ
３０    光源
５０    放熱器
５１，５２    スペーサ
５５    支持台
【図１】
2007193304.tif 000003
【図２】
2007193304.tif 000004
【図３】
2007193304.tif 000005
【図４Ａ】
2007193304.tif 000006
【図４Ｂ】
2007193304.tif 000007
【図５】
2007193304.tif 000008